(57)【特許請求の範囲】
【請求項１】
動画ファイルと静止画ファイルとを混在させて光ディスクのプログラムエリアに記録する光ディスク装置であって、
記録に供するファイルの管理用情報を生成する管理用情報生成手段と、
前記ファイルと、前記ファイルに対応する前記管理用情報とを前記プログラムエリアに記録する記録手段と、
少なくとも前記管理用情報生成手段、前記記録手段の動作を制御する制御手段とを備え、
前記制御手段の前記管理用情報生成手段、前記記録手段の制御により、
前記プログラムエリアの連続した領域に前記ファイルを順次記録し、
前記光ディスクに記録する前記ファイルが前記動画ファイルの場合、前記プログラムエリア上で前記動画ファイルの前記管理用情報、前記動画ファイル、前記管理用情報のバックアップ用情報が順次連続するように、前記管理用情報の記録領域を確保して前記動画ファイルを記録した後、前記管理用情報、前記管理用情報のバックアップ用情報を記録し、
前記光ディスクに記録する前記ファイルが前記静止画ファイルの場合、前記プログラムエリア上で前記静止画ファイル、対応する前記管理用情報の順となるように、１つ又は複数の静止画ファイルを記録した後、続く領域に前記対応する前記管理用情報を記録し、
ユーザーによる指示により、
前記光ディスクに記録された全ての前記動画ファイル及び前記静止画ファイルについて、前記プログラムエリアに記録された管理用情報から、コンピュータのファイル管理システムに対応する管理用情報を作成し、前記光ディスクの管理用情報記録領域のうちの、第１の管理用情報記録領域に記録し、
前記光ディスクに記録された前記動画ファイルについてのみ、前記プログラムエリアに記録された管理用情報から、ＤＶＤビデオフォーマットのファイル管理システムに対応する管理用情報を作成し、前記管理用情報記録領域のうちの、第２の管理用情報記録領域に記録する
ことを特徴とする光ディスク装置。
【請求項２】
前記光ディスクに記録する前記ファイルが動画のファイルの場合の、前記管理用情報、前記ファイル及び前記バックアップ用情報の記録が、ＤＶＤビデオフォーマットによる記録である
ことを特徴とする請求項１に記載の光ディスク装置。
【請求項３】
前記プログラムエリアに記録する管理用情報は、
少なくとも前記ファイルの記録位置を示す位置情報、ファイルサイズの情報である
ことを特徴とする請求項１に記載の光ディスク装置。
【請求項４】
前記プログラムエリアに記録した管理用情報に基づいて、前記光ディスクに記録された前記動画ファイル、静止画ファイルを再生する再生手段を有する
ことを特徴とする請求項１に記載の光ディスク装置。
【請求項５】
前記制御手段は、
前記プログラムエリアに記録した前記管理用情報をメモリに記録して保持し、
前記管理用情報記録領域に記録する前記管理用情報を、前記メモリに保持した前記管理用情報より生成する
ことを特徴とする請求項１に記載の光ディスク装置。
【請求項６】
前記静止画ファイルのフォーマットを変換して動画ファイルを作成するフォーマット変換手段と、
前記光ディスクに記録された前記ファイルを再生する再生手段とを有し、
前記制御手段は、
ユーザーによる指示により、
前記光ディスクに記録された前記静止画ファイルを再生して前記フォーマット変換手段により動画ファイルを作成し、該動画ファイルを前記管理用情報と共に前記光ディスクに記録するように各部の動作を制御する
ことを特徴とする請求項１に記載の光ディスク装置。
【請求項７】
前記フォーマット変換による動画ファイルが、ＭＰＥＧによるファイルである
ことを特徴とする請求項６に記載の光ディスク装置。
【請求項８】
前記フォーマット変換手段は、
前記静止画ファイルを、ＭＰＥＧによるＩピクチャーに変換する
ことを特徴とする請求項７に記載の光ディスク装置。
【請求項９】
前記制御手段は、
前記フォーマット変換後の動画ファイルにおけるピクチャー数により、該動画ファイルを分割して前記プログラムエリアに記録する
ことを特徴とする請求項８に記載の光ディスク装置。
【請求項１０】
動画ファイルと静止画ファイルとを混在させて光ディスクのプログラムエリアに記録する光ディスクの記録方法であって、
前記プログラムエリアの連続した領域に前記ファイルを順次記録するファイル記録ステップを有し、
前記ファイル記録ステップは、
前記光ディスクに記録する前記ファイルが前記動画ファイルの場合、前記プログラムエリア上で前記動画ファイルの管理用情報、前記動画ファイル、前記管理用情報のバックアップ用情報が順次連続するように、前記管理用情報の記録領域を確保して前記動画ファイルを記録した後、前記管理用情報、前記管理用情報のバックアップ用情報を記録する動画ファイルの記録ステップと、
前記光ディスクに記録する前記ファイルが前記静止画ファイルの場合、前記プログラムエリア上で前記静止画ファイル、対応する管理用情報の順となるように、１つ又は複数の静止画ファイルを記録した後、続く領域に前記対応する前記管理用情報を記録する静止画ファイルの記録ステップとを有し、
前記光ディスク記録方法は、
ユーザーによる指示により、
前記光ディスクに記録された全ての前記動画ファイル及び静止画ファイルについて、前記プログラムエリアに記録された管理用情報から、コンピュータのファイル管理システムに対応する管理用情報を作成し、前記光ディスクの管理用情報記録領域のうちの、第１の管理用情報記録領域に記録し、
前記光ディスクに記録された前記動画ファイルについてのみ、前記プログラムエリアに記録された管理用情報から、ＤＶＤビデオフォーマットのファイル管理システムに対応する管理用情報を作成し、前記管理用情報記録領域のうちの、第２の管理用情報記録領域に記録するファイナライズのステップを有する
ことを特徴とする光ディスクの記録方法。
【請求項１１】
前記プログラムエリアに記録する管理用情報は、
少なくとも前記ファイルの記録位置を示す位置情報、ファイルサイズの情報である
ことを特徴とする請求項１０に記載の光ディスクの記録方法。
【請求項１２】
前記プログラムエリアに記録した管理用情報に基づいて、前記光ディスクに記録された前記動画ファイル、静止画ファイルを再生するファイル再生のステップを有する
ことを特徴とする請求項１０に記載の光ディスクの記録方法。
【請求項１３】
前記プログラムエリアに記録した前記管理用情報をメモリに記録して保持する管理用情報の保持ステップと、
前記管理用情報記録領域に記録する前記管理用情報を、前記メモリに保持した前記管理用情報より生成する管理用情報の生成ステップとを有する
ことを特徴とする請求項１０に記載の光ディスクの記録方法。
【請求項１４】
前記静止画ファイルのフォーマットを変換して動画ファイルを作成するフォーマット変換のステップと、
前記光ディスクに記録された前記ファイルを再生する再生のステップとを有し、
ユーザーによる指示により、
前記光ディスクに記録された前記静止画ファイルを前記再生のステップにより再生し、
前記再生のステップで再生された前記静止画ファイルを前記フォーマット変換のステップにより動画ファイルにフォーマット変換し、
該動画ファイルを前記管理用情報と共に前記光ディスクに記録する
ことを特徴とする請求項１０に記載の光ディスクの記録方法。
【請求項１５】
前記フォーマット変換による動画ファイルが、ＭＰＥＧによるファイルである
ことを特徴とする請求項１４に記載の光ディスクの記録方法。
【請求項１６】
前記フォーマット変換のステップは、
前記静止画ファイルを、ＭＰＥＧによるＩピクチャーに変換する
ことを特徴とする請求項１５に記載の光ディスクの記録方法。
【請求項１７】
前記フォーマット変換後の動画ファイルにおけるピクチャー数により、該動画ファイルを分割して前記プログラムエリアに記録する
ことを特徴とする請求項１６に記載の光ディスクの記録方法。
【請求項１８】
動画ファイルと静止画ファイルとを混在させて光ディスクのプログラムエリアに記録する光ディスクの記録方法のプログラムであって、
前記プログラムエリアの連続した領域に前記ファイルを順次記録するファイル記録ステップを有し、
前記ファイル記録ステップは、
前記光ディスクに記録する前記ファイルが前記動画ファイルの場合、前記プログラムエリア上で前記動画ファイルの管理用情報、前記動画ファイル、前記管理用情報のバックアップ用情報が順次連続するように、前記管理用情報の記録領域を確保して前記動画ファイルを記録した後、前記管理用情報、前記管理用情報のバックアップ用情報を記録する動画ファイルの記録ステップと、
前記光ディスクに記録する前記ファイルが前記静止画ファイルの場合、前記プログラムエリア上で前記静止画ファイル、対応する前記静止画ファイルの管理用情報の順となるように、１つ又は複数の静止画ファイルを記録した後、続く領域に前記対応する前記管理用情報を記録する静止画ファイルの記録ステップとを有し、
前記光ディスク記録方法は、
ユーザーによる指示により、
前記光ディスクに記録された全ての前記動画ファイル及び静止画ファイルについて、前記プログラムエリアに記録された管理用情報から、コンピュータのファイル管理システムに対応する管理用情報を作成し、前記光ディスクの管理用情報記録領域のうちの、第１の管理用情報記録領域に記録し、
前記光ディスクに記録された前記動画ファイルについてのみ、前記プログラムエリアに記録された管理用情報から、ＤＶＤビデオフォーマットのファイル管理システムに対応する管理用情報を作成し、前記管理用情報記録領域のうちの、第２の管理用情報記録領域に記録するファイナライズのステップを有する
ことを特徴とする光ディスクの記録方法のプログラム。
【請求項１９】
前記静止画ファイルのフォーマットを変換して動画ファイルを作成するフォーマット変換のステップと、
前記光ディスクに記録された前記ファイルを再生する再生のステップとを有し、
ユーザーによる指示により、
前記光ディスクに記録された前記静止画ファイルを前記再生のステップにより再生し、
前記再生のステップで再生された前記静止画ファイルを前記フォーマット変換のステップにより動画ファイルにフォーマット変換し、
該動画ファイルを前記管理用情報と共に前記光ディスクに記録するステップを有する
ことを特徴とする請求項１８に記載の光ディスクの記録方法のプログラム。
【請求項２０】
前記フォーマット変換のステップは、
前記静止画ファイルを、ＭＰＥＧによるＩピクチャーに変換する
ことを特徴とする請求項１９に記載の光ディスクの記録方法のプログラム。
【請求項２１】
動画ファイルと静止画ファイルとを混在させて光ディスクのプログラムエリアに記録する光ディスクの記録方法のプログラムを記録した記録媒体であって、
前記光ディスクの記録方法は、
前記プログラムエリアの連続した領域に前記ファイルを順次記録するファイル記録ステップを有し、
前記ファイル記録ステップは、
前記光ディスクに記録する前記ファイルが前記動画ファイルの場合、前記プログラムエリア上で前記動画ファイルの管理用情報、前記動画ファイル、前記管理用情報のバックアップ用情報が順次連続するように、前記管理用情報の記録領域を確保して前記動画ファイルを記録した後、前記管理用情報、前記管理用情報のバックアップ用情報を記録する動画ファイルの記録ステップと、
前記光ディスクに記録する前記ファイルが前記静止画ファイルの場合、前記プログラムエリア上で前記静止画ファイル、対応する前記静止画ファイルの管理用情報の順となるように、１つ又は複数の静止画ファイルを記録した後、続く領域に前記対応する前記管理用情報を記録する静止画ファイルの記録ステップとを有し、
前記光ディスク記録方法は、
ユーザーによる指示により、
前記光ディスクに記録された全ての前記動画ファイル及び静止画ファイルについて、前記プログラムエリアに記録された管理用情報から、コンピュータのファイル管理システムに対応する管理用情報を作成し、前記光ディスクの管理用情報記録領域のうちの、第１の管理用情報記録領域に記録し、
前記光ディスクに記録された前記動画ファイルについてのみ、前記プログラムエリアに記録された管理用情報から、ＤＶＤビデオフォーマットのファイル管理システムに対応する管理用情報を作成し、前記管理用情報記録領域のうちの、第２の管理用情報記録領域に記録するファイナライズのステップを有する
ことを特徴とする光ディスクの記録方法のプログラムを記録した記録媒体。
【請求項２２】
前記静止画ファイルのフォーマットを変換して動画ファイルを作成するフォーマット変換のステップと、
前記光ディスクに記録された前記ファイルを再生する再生のステップとを有し、
ユーザーによる指示により、
前記光ディスクに記録された前記静止画ファイルを前記再生のステップにより再生し、
前記再生のステップで再生された前記静止画ファイルを前記フォーマット変換のステップにより動画ファイルにフォーマット変換し、
該動画ファイルを前記管理用情報と共に前記光ディスクに記録するステップを有する
ことを特徴とする請求項２１に記載の光ディスクの記録方法のプログラムを記録した記録媒体。
【請求項２３】
前記フォーマット変換のステップは、
前記静止画ファイルを、ＭＰＥＧによるＩピクチャーに変換する
ことを特徴とする請求項２２に記載の光ディスクの記録方法のプログラムを記録した記録媒体。
【発明の詳細な説明】
【０００１】
【発明の属する技術分野】
本発明は、光ディスク装置、光ディスクの記録方法、光ディスクの記録方法のプログラム及び光ディスクの記録方法のプログラムを記録した記録媒体に関し、例えばＤＶＤ（Digital Versatile Disk）装置に適用することができる。本発明は、ファイルと組にして記録する管理用情報のフォーマットをファイルの属性により切り換えることにより、例えば動画以外の静止画等のファイルについても記録することができるようにする。また光ディスクに記録されたファイルをフォーマット変換して記録することにより、例えば光ディスクに記録した動画以外の静止画等のファイルについても、標準の光ディスク装置で内容を確認することができるようにする。
【０００２】
【従来の技術】
従来、大容量の光ディスクであるＤＶＤにおいて、書き込み可能な光ディスクは、１回のみ書き込み可能なＤＶＤ−Ｒ（ＤＶＤ−Recordable）、追記可能なＤＶＤ−ＲＷ（ＤＶＤ−Rewritanle）、ＤＶＤ−ＲＡＭ（ＤＶＤ−Random Access Memory）が提供されるようになされている。これらの光ディスクのうち、ＤＶＤ−Ｒ、ＤＶＤ−ＲＷは、ＤＶＤ−ビデオフォーマットに準拠したフォーマットでビデオデータを記録することにより、再生専用の光ディスク、コンピュータでも再生できるようになされている。
【０００３】
図１４は、このＤＶＤビデオフォーマットによる光ディスクの論理フォーマットを示す図表である。このフォーマットによる光ディスクは、情報記録面が、先頭側である最内側よりリードイン（Lead in ）、データゾーン（Data Zone ）、リードアウト（Lead out）に区切られ（図１４（Ａ））、データゾーンに所望のビデオデータ等が記録される。
【０００４】
ここでデータゾーンは、リードイン側より、ＵＤＦ（Universal Disk Format ）領域（ファイルシステムエリア）Ａ１、ＶＭＧ（Video Manager ）領域（ＤＶＤ管理情報エリア）Ａ２、リアルタイムデータ記録エリアＡ３に区分される。ＵＤＦ領域及びＶＭＧ領域は、この光ディスクに記録されたビデオデータによるファイルを管理する管理用情報記録領域である。これらのＵＤＦ領域及びＶＭＧ領域のうち、第２の管理用情報記録領域であるＶＭＧ領域は、ＤＶＤビデオフォーマットに固有のファイル管理システムに対応する領域であり、リアルタイムデータ記録エリアＡ３に記録されたビデオデータ全体を管理する管理用情報であるＴＯＣの情報が記録される。これに対して第１の管理用情報記録領域であるＵＤＦ領域Ａ１は、コンピュータによるファイル管理システムに対応する領域であり、コンピュータにおけるファイルシステムとの互換を図るフォーマットによりリアルタイムデータ記録エリアＡ３に記録されたビデオデータ全体を管理する管理用情報が記録される。
【０００５】
リアルタイムデータ記録エリアＡ３は、実データを記録するプログラムエリアであり、ＶＴＳ（Video Title Set ）（以下、適宜、タイトルと呼ぶ）を単位にして、ビデオデータが記録される（図１４（Ｂ））。なおここでＶＴＳは、最大で９９個まで設けることができるようになされている。ここでＶＴＳは、先頭側より、ＶＴＳＩ（Video Title Set Information ）、ＶＴＳＭ  ＶＯＢＳ（Video Object Set for the VTSM）、ＶＴＳＴＴ  ＶＯＢＳ(Video Object SetFor Titles in a VTS)、ＶＴＳＩ  ＢＵＰ（Backup of VTSI）により構成される（図１４（Ｃ））。ＶＴＳＴＴ  ＶＯＢＳには、実データであるＭＰＥＧ（Moving Picture Experts Group）２のフォーマットによるビデオデータが記録され、ＶＴＳＩには、この実データによるビデオデータを管理する管理用情報である記録位置情報等が、ＶＴＳＭ  ＶＯＢＳには、ビデオデータのタイトルメニューが記録される。なおＶＴＳＭ  ＶＯＢＳは、オプションである。ＶＴＳＩ  ＢＵＰは、ＶＴＳＩのバックアップである。
【０００６】
これらによりこの種の光ディスクにおいては、コンピュータによりアクセスする場合、ＵＤＦにより所望するファイルを検索して再生することができるようになされ、ＤＶＤプレイヤーにより再生する場合には、ＶＭＧにより所望するファイルを検索して再生することができるようになされている。
【０００７】
このような光ディスクにビデオデータを書き込む方式としては、Incremental Recording 方式（以下、ＩＮＣ方式と呼ぶ）、Restricted Over Write 方式（以下、ＲＯＷ方式と呼ぶ）が使用されるようになされている。ここでＩＮＣ方式は、シーケンシャルにビデオデータを記録する方式であり、ＲＯＷ方式は、上書き可能な光ディスクに適用される方式である。但し、ＲＯＷ方式においても、未記録領域にデータを記録する場合には、シーケンシャルにビデオデータを記録する。これらＩＮＣ方式及びＲＯＷ方式においては、リードインの内周側に設けられたＲＭＡ（Recording Management Area ）により、後述する予約等の光ディスクへの処理が管理されるようになされている。
【０００８】
図１５は、ＩＮＣ方式による記録手順を示す図表である。ＩＮＣ方式においては、一度に書き込むエリアは最大３つまでと定義されており、このエリアをそれぞれＲｚｏｎｅと呼び、各ＲｚｏｎｅをＲＭＡで管理する。
【０００９】
動画を記録する場合、ＩＮＣ方式においては、始めにＲｚｏｎｅを予約する（図１５（Ａ））。ここでＲｚｏｎｅの予約は、管理用情報の記録領域であるＵＤＦ領域、ＶＭＧ領域を形成するＲｚｏｎｅ１の領域を定義し、続いてリアルタイムデータ記録エリアを形成する未記録領域に、先頭のＶＴＳのＶＴＳＩ、ＶＴＳＭ  ＶＯＢＳを形成するＲｚｏｎｅ２の領域を定義し、残る未記録領域をＩｎｖｉｓｉｂｌｅ  Ｒｚｏｎｅの領域と定義して実行される。ＩＮＣ方式は、このＲｚｏｎｅ１、Ｒｚｏｎｅ２の予約により、管理用情報の記録領域を確保し、また先頭のＶＴＳのＶＴＳＩ、ＶＴＳＭ  ＶＯＢＳを形成する領域を確保するようになされている。
【００１０】
ＩＮＣ方式においては、Ｉｎｖｉｓｉｂｌｅ  Ｒｚｏｎｅの先頭側より順次ビデオデータを記録することにより、実データによるＶＴＳＴＴ  ＶＯＢＳを形成する。さらにユーザーの指示により、１つのタイトルについて実データの記録が完了すると、この実データの記録に続いてＶＴＳＩ  ＢＵＰを記録し（図１５（Ｂ））、また先頭側に戻ってＲｚｏｎｅ２にＶＴＳＩ、ＶＴＳＭ  ＶＯＢＳを形成し（図１５（Ｃ））、Ｒｚｏｎｅ２を閉じる。これによりＩＮＣ方式においては、１つのＶＴＳを光ディスクに記録する。
【００１１】
また続けて次のタイトルを記録する場合、ＩＮＣ方式においては、残りの未記録領域にＲｚｏｎｅ３を予約してＶＴＳＩ、ＶＴＳＭ  ＶＯＢＳの領域を確保し、Ｉｎｖｉｓｉｂｌｅ  Ｒｚｏｎｅを定義する（図１５（Ｄ））。さらに続いて、実データの記録によりＶＴＳＴＴ  ＶＯＢＳを形成した後、ＶＴＳＩ  ＢＵＰを形成し（図１５（Ｅ））、先に確保した領域にＶＴＳＩ、ＶＴＳＭ  ＶＯＢＳを形成する（図１５（Ｆ））。これにより光ディスクでは、続くＶＴＳが記録される（図１５（Ｇ））。ＩＮＣ方式においては、引き続きタイトルを記録する場合、同様に未記録領域を定義して順次ＶＴＳを記録する。
【００１２】
これに対してこのようにＶＴＳを順次記録して、リアルタイムデータ記録エリアが形成されてなる光ディスクについて、ＩＮＣ方式においては、ファイナライズの処理によりＵＤＦ領域、ＶＭＧ領域を形成し、さらにリードイン、リードアウトを形成し（図１５（Ｈ））、これにより再生専用の光ディスクとの互換性が図られる。なおこのＵＤＦ領域、ＶＭＧ領域の形成においては、各タイトルのＶＴＳＩ、ＶＴＳＭ  ＶＯＢＳのデータより、ＵＤＦ、ＶＭＧのデータを生成し、このデータをＲｚｏｎｅ１に記録してＲｚｏｎｅ１を閉じることにより実行される。
【００１３】
これに対して図１６は、ＲＯＷ方式による記録手順を示す図表である。ＲＯＷ方式においては、リードイン、ＵＤＦ、ＶＭＧ、先頭タイトルのＶＴＳＩ、ＶＴＳＭ  ＶＯＢＳの記録領域をパディングにより事前に確保する（図１６（Ａ））。ここでパディングは、ＮＵＬＬ等のダミーデータを記録して領域を確保する処理である。
【００１４】
このようにしてこれらの領域を確保すると、ＲＯＷ方式においては、順次ビデオデータを記録することにより、実データによるＶＴＳＴＴ  ＶＯＢＳを形成し（図１６（Ｂ））、１つのタイトルについて実データの記録が完了すると、続いてＶＴＳＩ  ＢＵＰを記録し、さらに続くタイトルのＶＴＳＩ、ＶＴＳＭ  ＶＯＢＳの記録領域の確保のために、パディングの処理を実行する（図１６（Ｂ））。また続いて先頭側に戻ってこの実データの記録に対応するＶＴＳＩ、ＶＴＳＭＶＯＢＳを形成する（図１６（Ｃ））。これによりＲＯＷ方式においては、１つのＶＴＳを光ディスクに記録する。
【００１５】
また続けて次のタイトルを記録する場合、ＲＯＷ方式においては、直前のＶＴＳにより形成したパディングの領域に続いて、実データの記録によりＶＴＳＴＴＶＯＢＳ、ＶＴＳＩ  ＢＵＰを形成し、続くタイトルのＶＴＳＩ、ＶＴＳＭＶＯＢＳの記録領域の確保のために、パディングの処理を実行する（図１６（Ｄ））。また続いてＶＴＳＩ、ＶＴＳＭ  ＶＯＢＳを形成し（図１６（Ｅ））、これにより続くＶＴＳを光ディスクに記録する（図１６（Ｆ））。ＲＯＷ方式においては、引き続きタイトルを記録する場合、同様にパディング等の処理を実行して順次ＶＴＳを記録する。
【００１６】
これに対してこのようにＶＴＳを順次記録して、リアルタイムデータ記録エリアが形成されてなる光ディスクについて、ＲＯＷ方式においては、ＩＮＣ方式と同様のファイナライズの処理によりＵＤＦ領域、ＶＭＧ領域を形成し、さらにリードイン、リードアウトを形成し（図１６（Ｈ））、これにより再生専用の光ディスクとの互換性が図られるようになされている。
【００１７】
【発明が解決しようとする課題】
ところでこのような光ディスクにおいては、磁気テープに代えて、携帯型のビデオレコーダに適用することが考えられる。この場合、従来の携帯型のビデオレコーダにおいては、動画だけでなく、静止画についても記録することができるものがあることにより、この種の光ディスクにおいても、動画以外の静止画等について、記録できることが望まれる。
【００１８】
因みに、上述したフォーマットにおいては、この種のファイルの記録については何ら考慮されておらず、これにより結局、静止画等にあっては、メモリに保持し、別の記録媒体に別途記録することが必要になる。
【００１９】
またこのようにして記録した各種ファイルのうち、静止画等については、ＤＶＤビデオフォーマットのみをサポートする標準のＤＶＤプレイヤーでも内容を確認できることが望まれる。
【００２０】
本発明は以上の点を考慮してなされたもので、動画以外の静止画等のファイルについても記録することができる光ディスク装置、光ディスクの記録方法、光ディスクの記録方法のプログラム及び光ディスクの記録方法のプログラムを記録した記録媒体を提案しようとするものである。またこのようにして記録したファイルについて、標準の光ディスク装置でも内容を確認することができる光ディスク装置、光ディスクの記録方法、光ディスクの記録方法のプログラム及び光ディスクの記録方法のプログラムを記録した記録媒体を提案しようとするものである。
【００２１】
【課題を解決するための手段】
かかる課題を解決するため請求項１の発明においては、動画ファイルと静止画ファイルとを混在させて光ディスクのプログラムエリアに記録する光ディスク装置に適用して、前記プログラムエリアの連続した領域に前記ファイルを順次記録し、前記光ディスクに記録する前記ファイルが前記動画ファイルの場合、前記プログラムエリア上で前記動画ファイルの前記管理用情報、前記動画ファイル、前記管理用情報のバックアップ用情報が順次連続するように、前記管理用情報の記録領域を確保して前記動画ファイルを記録した後、前記管理用情報、前記管理用情報のバックアップ用情報を記録し、前記光ディスクに記録する前記ファイルが前記静止画ファイルの場合、前記プログラムエリア上で前記静止画ファイル、対応する前記管理用情報の順となるように、１つ又は複数の静止画ファイルを記録した後、続く領域に前記対応する前記管理用情報を記録し、ユーザーによる指示により、前記光ディスクに記録された全ての前記動画ファイル及び静止画ファイルについて、前記プログラムエリアに記録された管理用情報から、コンピュータのファイル管理システムに対応する管理用情報を作成し、前記光ディスクの管理用情報記録領域のうちの、第１の管理用情報記録領域に記録し、前記光ディスクに記録された前記動画ファイルについてのみ、前記プログラムエリアに記録された管理用情報から、ＤＶＤビデオフォーマットのファイル管理システムに対応する管理用情報を作成し、前記管理用情報記録領域のうちの、第２の管理用情報記録領域に記録する。
【００２３】
また請求項１０の発明においては、動画ファイルと静止画ファイルとを混在させて光ディスクのプログラムエリアに記録する光ディスクの記録方法に適用して、前記プログラムエリアの連続した領域に前記ファイルを順次記録するファイル記録ステップを有し、前記ファイル記録ステップは、前記光ディスクに記録する前記ファイルが前記動画ファイルの場合、前記プログラムエリア上で前記動画ファイルの管理用情報、前記動画ファイル、前記管理用情報のバックアップ用情報が順次連続するように、前記管理用情報の記録領域を確保して前記動画ファイルを記録した後、前記管理用情報、前記管理用情報のバックアップ用情報を記録する動画ファイルの記録ステップと、前記光ディスクに記録する前記ファイルが前記静止画ファイルの場合、前記プログラムエリア上で前記静止画ファイル、対応する管理用情報の順となるように、１つ又は複数の静止画ファイルを記録した後、続く領域に前記対応する前記管理用情報を記録する静止画ファイルの記録ステップとを有し、前記光ディスク記録方法は、ユーザーによる指示により、前記光ディスクに記録された全ての前記動画ファイル及び静止画ファイルについて、前記プログラムエリアに記録された管理用情報から、コンピュータのファイル管理システムに対応する管理用情報を作成し、前記光ディスクの管理用情報記録領域のうちの、第１の管理用情報記録領域に記録し、前記光ディスクに記録された前記動画ファイルについてのみ、前記プログラムエリアに記録された管理用情報から、ＤＶＤビデオフォーマットのファイル管理システムに対応する管理用情報を作成し、前記管理用情報記録領域のうちの、第２の管理用情報記録領域に記録するファイナライズのステップを有するようにする。
【００２５】
また請求項１８の発明においては、動画ファイルと静止画ファイルとを混在させて光ディスクのプログラムエリアに記録する光ディスクの記録方法のプログラムに適用して、前記プログラムエリアの連続した領域に前記ファイルを順次記録するファイル記録ステップを有し、前記ファイル記録ステップは、前記光ディスクに記録する前記ファイルが前記動画ファイルの場合、前記プログラムエリア上で前記動画ファイルの管理用情報、前記動画ファイル、前記管理用情報のバックアップ用情報が順次連続するように、前記管理用情報の記録領域を確保して前記動画ファイルを記録した後、前記管理用情報、前記管理用情報のバックアップ用情報を記録する動画ファイルの記録ステップと、前記光ディスクに記録する前記ファイルが前記静止画ファイルの場合、前記プログラムエリア上で前記静止画ファイル、対応する前記静止画ファイルの管理用情報の順となるように、１つ又は複数の静止画ファイルを記録した後、続く領域に前記対応する前記管理用情報を記録する静止画ファイルの記録ステップとを有し、前記光ディスク記録方法は、ユーザーによる指示により、前記光ディスクに記録された全ての前記動画ファイル及び静止画ファイルについて、前記プログラムエリアに記録された管理用情報から、コンピュータのファイル管理システムに対応する管理用情報を作成し、前記光ディスクの管理用情報記録領域のうちの、第１の管理用情報記録領域に記録し、前記光ディスクに記録された前記動画ファイルについてのみ、前記プログラムエリアに記録された管理用情報から、ＤＶＤビデオフォーマットのファイル管理システムに対応する管理用情報を作成し、前記管理用情報記録領域のうちの、第２の管理用情報記録領域に記録するファイナライズのステップを有するようにする。
【００２７】
また請求項２１の発明においては、動画ファイルと静止画ファイルとを混在させて光ディスクのプログラムエリアに記録する光ディスクの記録方法のプログラムを記録した記録媒体に適用して、前記光ディスクの記録方法は、前記プログラムエリアの連続した領域に前記ファイルを順次記録するファイル記録ステップを有し、前記ファイル記録ステップは、前記光ディスクに記録する前記ファイルが前記動画ファイルの場合、前記プログラムエリア上で前記動画ファイルの管理用情報、前記動画ファイル、前記管理用情報のバックアップ用情報が順次連続するように、前記管理用情報の記録領域を確保して前記動画ファイルを記録した後、前記管理用情報、前記管理用情報のバックアップ用情報を記録する動画ファイルの記録ステップと、前記光ディスクに記録する前記ファイルが前記静止画ファイルの場合、前記プログラムエリア上で前記静止画ファイル、対応する前記静止画ファイルの管理用情報の順となるように、１つ又は複数の静止画ファイルを記録した後、続く領域に前記対応する前記管理用情報を記録する静止画ファイルの記録ステップとを有し、前記光ディスク記録方法は、ユーザーによる指示により、前記光ディスクに記録された全ての前記動画ファイル及び静止画ファイルについて、前記プログラムエリアに記録された管理用情報から、コンピュータのファイル管理システムに対応する管理用情報を作成し、前記光ディスクの管理用情報記録領域のうちの、第１の管理用情報記録領域に記録し、前記光ディスクに記録された前記動画ファイルについてのみ、前記プログラムエリアに記録された管理用情報から、ＤＶＤビデオフォーマットのファイル管理システムに対応する管理用情報を作成し、前記管理用情報記録領域のうちの、第２の管理用情報記録領域に記録するファイナライズのステップを有するようにする。
【００２９】
請求項１の構成によれば、光ディスク装置に適用して、動画ファイルについては、ＤＶＤビデオフォーマットにより記録し、静止画ファイルについては、ＤＶＤビデオフォーマットによる再生には何ら影響を与えないようにして、この静止画ファイルを再生可能に記録することができる。
【００３１】
また請求項１０、請求項１８、請求項２３の構成によれば、動画以外の静止画ファイルについても記録することができる光ディスクの記録方法、光ディスクの記録方法のプログラム、光ディスクの記録方法のプログラムを記録した記録媒体を提供することができる。
【００３３】
【発明の実施の形態】
以下、適宜図面を参照しながら本発明の実施の形態を詳述する。
【００３４】
（１）第１の実施の形態
（１−１）第１の実施の形態の構成
図２は、本発明の第１の実施の形態に係る光ディスク装置を示すブロック図である。この光ディスク装置１は、携帯型のビデオレコーダであり、ＤＶＤである光ディスク２に撮像結果を記録できるようになされている。
【００３５】
すなわちこの光ディスク装置１において、映像入力部３は、図示しない撮像手段より得られる撮像結果である映像信号、外部機器から入力される映像信号をアナログディジタル変換処理し、ビデオデータを出力する。なおここでこの内蔵の撮像手段は、マイコン４による制御により、動画による撮像結果、静止画による撮像結果を出力するようになされ、これによりこの映像入力部３においては、マイコン４による撮像手段の制御に応動して、動画、静止画によるビデオデータを選択的に出力するようになされている。
【００３６】
オーディオ入力部５は、マイクで取得される音声信号、外部入力による音声信号をアナログディジタル変換処理し、オーディオデータを出力する。
【００３７】
圧縮／伸長処理部６は、マイコン４の制御により、動作を切り換え、記録再生に供するデータを処理する。すなわち圧縮／伸長処理部６は、映像入力部３、オーディオ入力部５から入力されるビデオデータ、オーディオデータの記録時、ランダムアクセスメモリ（ＲＡＭ）９を用いて、これらビデオデータ及びオーディオデータをデータ圧縮して多重化処理し、ヘッダー情報処理部７に出力する。またこれとは逆に、再生時、同様にランダムアクセスメモリ９を用いて、ヘッダー情報処理部７より得られるデータをビデオデータ及びオーディオデータに分離した後、それぞれデータ伸長して出力する。
【００３８】
すなわち圧縮／伸長処理部６において、ビデオ処理部８は、マイコン４の制御により、記録時、映像入力部３から出力されるビデオデータをデータ圧縮して出力する。このときこのビデオデータが動画によるビデオデータの場合、ＭＰＥＧ２のフォーマットによりデータ圧縮するのに対し、このビデオデータが静止画によるビデオデータの場合、ＪＰＥＧ（Joint Photographic Coding Experts Group ）のフォーマットによりデータ圧縮する。またビデオ処理部８は、再生時、多重化処理部１０から出力されるビデオデータを、このビデオデータのデータ圧縮フォーマットに対応してデータ伸長して出力する。
【００３９】
オーディオ処理部１１は、記録時、オーディオ入力部５から出力されるオーディオデータをＭＰＥＧ、ドルビーオーディオ、またはリニアＰＣＭ等のフォーマットによりデータ圧縮して出力する。またこれとは逆に、再生時、多重化処理部１０から得られるオーディオデータをデータ伸長して出力する。
【００４０】
多重化処理部１０は、記録時、ビデオ処理部８から出力されるビデオデータ、オーディオ処理部１１から出力されるオーディオデータを時分割多重化してヘッダー情報処理部７に出力する。またこれとは逆に、再生時、ヘッダー情報処理部７から出力される時分割多重化データよりビデオデータ及びオーディオデータを分離し、それぞれビデオ処理部８、オーディオ処理部１１に出力する。
【００４１】
モニタ部１２は、映像入力部３から入力されるビデオデータ、オーディオ入力部５から入力されるオーディオデータ、又は圧縮／伸長処理部６から出力されるビデオデータ、オーディオデータをモニタする表示機構、音声処理機構により構成され、これによりこの光ディスク装置１では、撮像結果をモニタし、再生結果をモニタできるようになされている。
【００４２】
ビデオ／オーディオエンコーダ１３は、オーディオ入力部５から入力されるビデオデータ及びオーディオデータ、又は圧縮／伸長処理部６から出力されるビデオデータ及びオーディオデータを所定フォーマットによりデータ圧縮して外部機器に出力する。これによりこの光ディスク装置１では、撮像結果、再生結果を外部機器でモニタできるようになされている。
【００４３】
ヘッダー情報処理部７は、記録時、圧縮／伸長処理部６から出力される時分割多重化データを受け、マイコン４の制御により、ＤＶＤに固有のヘッダー情報、後述する拡張ファイルのヘッダー情報等を付加して出力する。またマイコン４から情報により、ＵＤＦ、ＶＭＧ、ＶＴＳＩ等のデータを生成してＤＶＤ信号処理部１４に出力する。また再生時等において、ＤＶＤ信号処理部１４の出力データから、記録時に付加したヘッダー情報を分離して圧縮／伸長処理部６に出力する。またこの分離したヘッダー情報をマイコン４に通知する。なおここで拡張ファイルとは、この光ディスク２について規格化されたフォーマットであるＤＶＤビデオフォーマットで定義されていないファイルであり、この実施の形態ではこの拡張ファイルに静止画のファイルが適用されるようになされている。
【００４４】
ＤＶＤ信号処理部１４は、記録時、ランダムアクセスメモリ１５を用いて、ヘッダー情報処理部７の出力データよりエラー訂正符号を生成し、このエラー訂正符号をこの出力データに付加する。またスクランブル処理、８／１６変調等の処理を実行し、その処理結果によるデータ列をシリアルデータ列によりアナログフロントエンド部１６に出力する。
【００４５】
これに対して再生時、ＤＶＤ信号処理部１４は、記録時とは逆に、アナログフロントエンド部１６の出力データを復号処理、デスクランブル処理、エラー訂正処理し、処理結果をヘッダー情報処理部７に出力する。またＤＶＤ信号処理部１４は、マイコン４から出力されるスピンドル制御用、トラッキング制御用、フォーカス制御用、スレッド制御用の各種駆動情報をディジタルアナログ変換処理してこれらの駆動信号を生成し、これら駆動信号をモーターアンプ部１８に出力する。
【００４６】
アナログフロントエンド部１６は、光学ヘッド１９から光ディスク２に照射するレーザービームについて、光量制御信号を生成して出力する。アナログフロントエンド部１６は、再生時、この光量制御信号により光学ヘッド１９から光ディスク２に照射するレーザービームの光量を再生用の一定光量に保持するのに対し、記録時、ＤＶＤ信号処理部１４からの出力データに応じてこの光量制御信号の信号レベルを変化させ、これによりこのＤＶＤ信号処理部１４からの出力データに応じてレーザービームの光量を再生時の光量から記録の光量に間欠的に立ち上げる。
【００４７】
またアナログフロントエンド部１６は、光学ヘッド１９から得られる戻り光の受光結果を増幅して演算処理することにより、光ディスク２に形成されたピット列に対応して信号レベルが変化する再生信号を生成し、この再生信号の信号処理によりこの再生信号の２値識別結果である再生データをＤＶＤ信号処理部１４に出力する。またこの演算処理により、トラッキングエラー量、フォーカスエラー量に応じて信号レベルが変化するトラッキングエラー信号、フォーカスエラー信号等を生成し、これらの信号をディジタル信号によりマイコン４に出力する。
【００４８】
モーターアンプ部１８は、ＤＶＤ信号処理部１４から出力される各種駆動信号により、それぞれ対応する機構を駆動する。すなわちモーターアンプ部１８は、これらの駆動信号のうち、スピンドル制御用の駆動信号、スレッド制御用の駆動信号によりスピンドルモータ２０、スレッドモータ２１を回転駆動する。またトラッキング制御用の駆動信号、フォーカス制御用の駆動信号により光学ヘッド１９に搭載のアクチュエータを駆動する。
【００４９】
スピンドルモータ２０は、光ディスク２をチャッキングして所定の回転速度により回転駆動する。スレッドモータ２１は、光学ヘッド１９を光ディスク２の半径方向に可動させる。
【００５０】
光学ヘッド１９は、アナログフロントエンド部１６から出力される光量制御信号により内蔵の半導体レーザーからレーザービームを出射し、対物レンズを介してこのレーザービームを光ディスク２の情報記録面に集光する。またこのレーザービームの照射により光ディスク２から得られる戻り光をこの対物レンズを介して所定の受光素子に導き、この受光素子の受光結果をアナログフロントエンド部１６に出力する。光学ヘッド１９は、この対物レンズがトラッキング制御用の駆動信号、フォーカス制御用の駆動信号により駆動されるアクチュエータにより可動するようになされ、これによりトラッキング制御、フォーカス制御できるようになされている。またレーザービームの光量が光量制御信号により間欠的に立ち上げられ、これにより光ディスク２の情報記録面を局所的に温度上昇させて所望のデータを記録するようになされている。
【００５１】
マイコン４は、この光ディスク装置１全体の動作を制御するコンピュータであり、この光ディスク装置１に事前にインストールされた処理プログラムを実行することにより図示しない操作部を介して得られるユーザーの操作により、さらにはアナログフロントエンド部１６で検出される各種信号等により、各部の動作を制御する。すなわちマイコン４は、アナログフロントエンド部１６で検出されるトラッキングエラー信号、フォーカスエラー信号により、トラッキング制御用、フォーカス制御用の駆動情報を生成し、ＤＶＤ信号処理部１４でアナログ信号に変換してモーターアンプ部１８に出力し、これによりトラッキング制御、フォーカス制御の処理を実行する。またヘッダー情報処理部７で検出されるヘッダー情報等によりレーザービーム照射位置を検出し、この検出結果よりスレッド制御用の駆動情報を生成してＤＶＤ信号処理部１４に出力し、これによりシーク等の処理を実行する。また同様にしてスピンドル制御の処理を実行する。
【００５２】
またこれらの光ディスク２に関する処理を前提として、電源の立ち上げにより図３に示す処理手順を実行する。すなわちマイコン４は、電源が立ち上げられると、ステップＳＰ１からステップＳＰ２に移り、図示しない光ディスク２の検出機構による検出結果より光ディスク２の有無を判断する。ここで否定結果が得られると、マイコン４は、ステップＳＰ２を繰り返す。これに対して光ディスク２が装填された状態で電源が立ち上げられた場合、さらには電源を立ち上げた後、光ディスク２が装填されると、ステップＳＰ２で肯定結果が得られることにより、ステップＳＰ２からステップＳＰ３に移る。なおマイコン４は、このステップＳＰ２の繰り返しにおいて、電源が立ち下げられると、ステップＳＰ４に直接移ってこの処理手順を終了する。
【００５３】
ステップＳＰ３において、マイコン４は、スレッドモータ２１を駆動して光学ヘッド１９を光ディスク２の最内周に移動させ、この最内周側の再生結果をＤＶＤ信号処理部１４から取得することにより、ファイナライズ処理されている光ディスク２については、ＶＭＧのデータを取得する。これに対して光ディスク２が未だファイナライズ処理されていない場合には、ＲＭＡの情報を取得する。またこのＲＭＡの情報により、光ディスク２のリアルタイムデータ記録エリアに既にデータが記録されていると判断される場合には、光ディスク２をサーチして各ＶＴＳのＶＴＳＩ、ＶＴＳＴＴ  ＶＯＢＳのデータを取得する。これによりマイコン４は、通常のＤＶＤを記録再生する光ディスク装置と同様に、光ディスク２の記録再生に必要な光ディスク２の管理用情報を取得するようになされている。
【００５４】
この処理において、マイコン４は、ＶＭＧのデータに加えて、ＵＤＦのデータも併せて取得する。またリアルタイムデータ記録エリアの再生において、後述する中間管理情報が記録されている場合には、この中間管理情報も併せて取得する。これによりマイコン４は、ＤＶＤ−ビデオフォーマットで定義されていない拡張ファイルに関しても光ディスク２より再生可能に、この拡張ファイルの管理用情報についても併せて取得するようになされている。マイコン４は、このようにして取得した一連の管理用情報を内蔵のメモリに記録して保持する。
【００５５】
続いてマイコン４は、ステップＳＰ５に移り、光ディスク２の排出が指示されたか否か判断し、ここで肯定結果が得られると、光ディスク２の排出を図示しないローディング機構に指示した後、ステップＳＰ２に戻る。
【００５６】
これに対してユーザーより光ディスク２の排出以外の指示が得られると、ステップＳＰ５からステップＳＰ６に移り、このユーザーによる操作が記録を指示する操作か（ＲＥＣにより示す）、再生を指示する操作か（ＰＢにより示す）、電源の立ち下げを指示する操作が（Ｐｏｗｅｒ  ＯＦＦにより示す）か判断する。ここでユーザーによる操作が再生を指示する操作の場合、マイコン４は、ステップＳＰ６からステップＳＰ７に移り、光ディスク２に記録されたファイルを再生する再生処理手順を実行してステップＳＰ５に戻る。
【００５７】
これに対してユーザーによる操作が記録を指示する操作の場合、マイコン４は、ステップＳＰ６からステップＳＰ８に移り、光ディスク２に動画又は静止画を記録する記録処理手順を実行してステップＳＰ５に戻る。なおマイコン４は、光ディスク２がいわゆるファイナライズ処理されてＵＤＦ、ＶＭＧが形成されている場合、光ディスク２がデータを記録できないように処理されていることにより、記録処理手順を省略してステップＳＰ５に戻る。またこのようにファイナライズ処理されている場合でも、光ディスク２が消去可能なＤＶＤ−ＲＷの場合、ユーザーの確認により記録済データを消去して、記録処理手順を実行する。
【００５８】
これに対してユーザーによる操作が電源を立ち下げる操作の場合、マイコン４は、ステップＳＰ６からステップＳＰ９に移り、電源立ち下げの処理を実行し、ステップＳＰ４に移ってこの処理手順を終了する。
【００５９】
マイコン４は、このようにして実行される処理手順のうちの記録処理手順において、光ディスク２がＤＶＤ−Ｒの場合、ＩＮＣ方式により動画、静止画のファイルを記録する。これに対して光ディスク２がＤＶＤ−ＲＷ、ＤＶＤ−ＲＡＭの場合、ＲＯＷ方式により動画、静止画のファイルを記録する。
【００６０】
図１は、光ディスク２が何らファイルを記録していないいわゆるバージンディスクの場合を例にとって、このＩＮＣ方式により動画ファイル、静止画ファイルの記録処理の説明に供する図表である。マイコン４は、光ディスク２より取得してメモリに保持したＲＭＡの情報を更新することにより、Ｒｚｏｎｅ１を予約する（図１（Ａ））。
【００６１】
また動画を記録する場合には、同様にしてＲＭＡの情報を更新することによりＲｚｏｎｅ２、Ｉｎｖｉｓｉｂｌｅ  Ｒｚｏｎｅを予約し（図１（Ａ））、実データであるビデオデータを順次Ｉｎｖｉｓｉｂｌｅ  Ｒｚｏｎｅに記録してＶＴＳＴＴ  ＶＯＢＳを生成する。またユーザーにより録画の停止が指示されると、ＶＴＳＩ  ＢＵＰを生成し（図１（Ｂ））、またＶＴＳＩ、ＶＴＳＭ  ＶＯＢＳを生成して１つのＶＴＳを生成する（図１（Ｃ））。またこのようにして生成したＶＴＳに対応するように、管理用情報をメモリに保持し、またメモリに保持したＲＭＡの情報を更新する。
【００６２】
続いて動画を記録する場合、マイコン４は、同様にメモリに保持したＲＭＡの情報を更新して、Ｒｚｏｎｅ２、Ｉｎｖｉｓｉｂｌｅ  Ｒｚｏｎｅを予約した後、実データを順次Ｉｎｖｉｓｉｂｌｅ  Ｒｚｏｎｅに記録してＶＴＳＴＴ  ＶＯＢＳ、ＶＴＳＩ  ＢＵＰを生成し、またＶＴＳＩ、ＶＴＳＭ  ＶＯＢＳを生成し、これらに対応するように、管理用情報をメモリに記録し、メモリに保持したＲＭＡの情報を更新する。
【００６３】
これによりマイコン４は、ＩＮＣ方式により動画を記録する場合には、従来のＩＮＣ方式による場合と同様にして順次タイトルを記録するようになされている。また未だファイナライズされていない光ディスク２が装填され、この光ディスク２に追記する場合には、図３のステップＳＰ２で取得したＲＭＡのデータであって、メモリに保持してなるＲＭＡのデータにより、既に記録済のタイトルの末尾より、同様の処理を実行し、これにより撮像結果である動画を追記する。
【００６４】
これに対してファイナライズの処理においては、このようにして生成してメモリに保持した管理用情報によりＲＺｏｎｅ１のＵＤＦ、ＶＭＧを生成し、リードイン、リードアウトを生成する。なお未だファイナライズされていない光ディスク２に追記した場合には、既に光ディスク２に記録済のタイトルについては、図３のステップＳＰ３で取得したＶＴＳＩ、ＶＴＳＭ  ＶＯＢＳにより、これらタイトルについてのＵＤＦ、ＶＭＧのデータを生成することは、言うまでもない。
【００６５】
これらによりこの光ディスク装置１では、動画のファイルについては、従来と同様のＩＮＣ方式による処理により、ＤＶＤビデオフォーマットにより記録するようになされている。
【００６６】
これに対して静止画を記録する場合、メモリに保持したＲＭＡの更新により、始めにＩｎｖｉｓｉｂｌｅ  Ｒｚｏｎｅを予約し、拡張ファイルである静止画のファイル（図１においては、ＥＦ）を順次記録する（図１（Ｅ））。またこの静止画ファイルＥＦの記録に対応するように、ファイナライズまでの間、一時的に静止画を管理する管理用情報である中間管理情報を順次作成して内蔵のメモリに保持する。
【００６７】
さらに所望するファイル数だけ静止画ファイルを記録してユーザーにより静止画ファイルの記録の終了が指示されると、メモリに保持したＲＭＡの更新により、Ｉｎｖｉｓｉｂｌｅ  Ｒｚｏｎｅを閉じ、静止画ファイルに続く領域にＲｚｏｎｅ３を予約する（図１（Ｆ））。またメモリに保持した中間管理情報を光ディスク２への記録のフォーマットに変換し、この中間管理情報をＲｚｏｎｅ３に記録する（図１（Ｇ））。
【００６８】
ここでこの中間管理情報は、拡張ファイルの再生に必要な管理用情報であり、拡張ファイルの属性を示す拡張子による属性情報、記録位置を示すアドレス情報、ファイルサイズの情報、光ディスク２に記録した時間情報等により構成され、図４に示すように、連続して記録した拡張ファイルの属性毎にまとめて記録される。すなわち図４（Ｂ）に示すように、中間管理情報は、ヘッダーと、属性毎のファイル管理情報ＤＪ、ＤＭ７、ＤＭ４とにより構成される。例えば、ユーザーの指示によりＪＰＥＧによる３つのファイルＦＪ１、ＦＪ２、ＦＪ３を記録した後、続いてＭＰＥＧ７による２つのファイルＦＭ７１、ＦＭ７２を記録し、さらに続いてＭＰＥＧ４による２つのファイルＦＭ４１、ＦＭ４２を記録した場合（図４（Ａ））、中間管理情報は、ヘッダーの記録によりこれら３種類のファイルの記録が示され、またこのヘッダーの記録により、続く各ファイル管理情報ＤＪ、ＤＭ７、ＤＭ４の記録位置が示される。ここで符号ＤＪ、ＤＭ７、ＤＭ４は、それぞれＪＰＥＧ、ＭＰＥＧ７、ＭＰＥＧ４によるファイル管理情報を示す。
【００６９】
属性毎のファイル管理情報ＤＪは、図４（Ｃ）に示すように、各ファイルの管理情報ＤＦＪ１、ＤＦＪ２、ＤＦＪ３毎に記録され、図４（Ｄ）に示すように、この各ファイルの管理情報ＤＦＪ１に、対応する拡張ファイルの属性情報、アドレス情報ＡＤＤＲ、サイズの情報、時間情報等が割り当てられるようになされている。
【００７０】
なおこの実施の形態において、光ディスク装置１は、この拡張ファイルとしてＪＰＥＧによる静止画ファイルが適用されることにより、この光ディスク装置１により記録された光ディスク２においては、このような属性毎のファイル管理情報については、図４（Ｂ）に示すファイル管理情報ＤＪのみが作成されることになる。
【００７１】
これによりマイコン４は、光ディスク２に動画以外のファイルを記録する場合でも、ファイルと対応する管理用情報とを組にしてプログラムエリアに記録する。またこのとき、光ディスク２に記録するファイルが動画のファイルの場合、管理用情報、ファイル、管理用情報のバックアップ用情報が順次連続するように記録するのに対し、動画以外のファイルである静止画のファイルを光ディスク２に記録する場合、ファイル、管理用情報を順次記録し、これによりファイルの属性に応じて、管理用情報の記録フォーマットを切り換えるようになされている。
【００７２】
マイコン４は、このようにして中間管理情報ＤＫを記録すると、内蔵のメモリにこの中間管理情報ＤＫを記録して保持する。またこのようにして中間管理情報ＤＫを記録した後、再び静止画によるファイルを記録する場合、マイコン４は、同様に順次拡張ファイルを記録した後、ユーザーによる終了の指示により、中間管理情報ＤＫを記録する。
【００７３】
これに対して続いて動画を記録する場合、Ｚｏｎｅ、Ｉｎｖｉｓｉｂｌｅ  Ｒｚｏｎｅを予約し（図１（Ｈ））、ＶＴＳＴＴ  ＶＯＢＳ、ＶＴＳＩ  ＢＵＰを形成し、ＶＴＳＩ、ＶＴＳＭ  ＶＯＢＳを生成し（図１（Ｉ））、これにより中間管理情報ＤＫに続いてＶＴＳを生成する（図１（Ｊ））。
【００７４】
これらにより光ディスク装置１では、ＤＶＤビデオフォーマットによる動画によるファイルと共に、ＤＶＤビデオフォーマットによっては定義されていない静止画によるファイルを管理用情報と共に記録するようになされている。かくするにつき、このようにして記録した光ディスク２については、ＲＭＡによりリアルタイムデータ記録エリアをサーチした場合に、ＤＶＤビデオフォーマットのみをサポートする従来の光ディスク装置においては、ＶＴＳの管理用情報であるＶＴＳＩ、ＶＴＳＴＴ  ＶＯＢＳのみが検出され、何ら定義されていない静止画等による拡張ファイル、拡張ファイルの中間管理情報については、何ら有意なファイルとして認識されないことになる。これに対してこの種の拡張ファイルをサポートする光ディスク装置においては、ＶＴＳの管理用情報に加えて、これら静止画等による拡張ファイル、拡張ファイルの中間管理情報についても認識されることになる。
【００７５】
これによりマイコン４は、従来の光ディスク装置における動画の再生には何ら影響を与えないようにして、拡張ファイルを記録するようになされている。
【００７６】
かくするにつき、このようにして拡張ファイルを記録してなる光ディスク２をファイナライズするようユーザーにより指示されると、マイコン４においては、このようにして作成した全てのタイトルの管理用情報（ＶＴＳＩ、ＶＴＳＴＴＶＯＢＳ）、全ての拡張ファイルの中間管理情報からＵＤＦのデータを作成して光ディスク２に記録する（図１（Ｋ））。また全てのタイトルの管理用情報（ＶＴＳＩ、ＶＴＳＴＴ  ＶＯＢＳ）のみからＶＭＧのデータを生成して光ディスク２に記録する。なおこれらＵＤＦ、ＶＭＧのデータの生成においては、メモリに保持した中間管理情報等より作成する。またマイコン４は、このようにしてＵＤＦ、ＶＭＧを記録すると、リードイン、リードアウトを作成する。なおこのようなＵＤＦ、ＶＭＧの記録、リードイン、リードアウトを作成、さらには中間管理情報の記録について、マイコン４は、対応するデータのＤＶＤ信号処理部１４への出力により実行する。
【００７７】
これによりこの実施の形態においては、コンピュータ用の管理用情報であるＵＤＦについては、拡張ファイルについても認識してアクセスできるように、管理用情報を記録するのに対し、ＤＶＤ再生用の管理用情報であるＶＭＧについては、拡張ファイルに係る情報は何ら記録しないようなされている。この処理において、マイコン４は、図５に示すように、コンピュータによるＵＤＦの再生により、ＤＶＤによるタイトルと同一階層である別フォルダーに、拡張ファイルのみを表示するように、ＵＤＦを作成する。また図４について上述した中間管理用情報については、ファイル名、記録位置のアドレス情報等の記述を省略してＵＤＦを作成する。なおタイトルを構成するＶＴＳＩ、ＶＴＳＭ  ＶＯＢＳ等のファイルと同様に、各拡張ファイルをアクセス可能にＵＤＦを作成することは言うまでもない。これによりこの実施の形態においては、コンピュータにより再生する場合、コンピュータにおける光ディスク２の再生で何ら意味の無い一時的な中間管理情報のファイルについては、ユーザーに見せないようにし、その分、使い勝手を向上するようになされている。
【００７８】
これらにより従来のＤＶＤを再生する光ディスク装置においては、ＶＭＧの記録により光ディスク２に記録された動画ファイルのみを再生する。これに対してこの光ディスク装置１において、マイコン４は、図３のステップＳＰ３において、ＵＤＦ、ＶＭＧのデータを取得し、拡張ファイルについては、ＵＤＦにより各ファイルをアクセスするように全体の動作を制御するようになされ、これにより拡張ファイルについても再生できるようになされている。なおこの図５において、Ｒｏｏｔは、ルートディレクトリーであり、ＶＩＤＥＯ  ＴＳは、動画のフォルダーであり、ＤＳＣは、拡張ファイルのフォルダーである。またＤＳＣ０００１、ＤＳＣ０００２は、それぞれ拡張ファイルである。
【００７９】
図６は、図１との対比によりＲＯＷ方式の記録を示す図表である。マイコン４は、光ディスク２がＤＶＤ−ＲＷ、ＤＶＤ−ＲＡＭの場合、このＲＯＷ方式により動画のファイル、拡張ファイルを記録する。すなわちマイコン４は、動画を記録する場合、従来と同様に、ＲＭＡの管理によるパディングにより領域を確保し（図６（Ａ））、ＶＴＳＴＴ  ＶＯＢＳ、ＶＴＳＩ  ＢＵＰを記録し、パディングにより続く領域を確保し（図６（Ｂ））、先頭側に戻ってＶＴＳＩ、ＶＴＳＭＶＯＢＳを形成する（図６（Ｃ））。これによりＲＯＷ方式においては、１つのＶＴＳを光ディスクに記録する。
【００８０】
続いて動画を記録する場合、マイコン４は、同様の処理の繰り返しにより、従来と同様にして順次タイトルを記録し、さらにはファイナライズの処理を実行する。
【００８１】
これに対して拡張ファイルを記録する場合、パディングにより領域が確保されている場合には、この領域の先頭より拡張ファイルＥＦを順次記録し、中間管理情報ＤＫを記録し、パディングにより続くタイトル記録用の領域を確保する（図６（Ｄ））。なおこの拡張ファイルＥＦ、中間管理情報ＤＫについては、記録済領域であるパディングされた領域の先頭より記録する点、続くタイトル記録用のパディングにより領域を確保する点を除いて、ＩＮＣ方式の場合と同一である。
【００８２】
続いて拡張ファイルを記録する場合、マイコン４は、このような拡張ファイルＥＦ、中間管理情報ＤＫの記録、パディングによる領域の確保を繰り返す。これに対して続いて動画を記録する場合、動画のファイルに続いて動画のファイルを記録する場合と同様に、パディングの領域に続いて、ＶＴＳＴＴ  ＶＯＢＳ、ＶＴＳＩ  ＢＵＰ記録し、パディングにより続く領域を確保し、先頭側に戻ってＶＴＳＩ、ＶＴＳＭ  ＶＯＢＳを形成する（図６（Ｅ）及び（Ｆ））。これにより１つのＶＴＳを光ディスクに記録する（図６（Ｇ））。
【００８３】
これらにより光ディスク装置１では、この場合も、従来の光ディスク装置における動画の再生には何ら影響を与えないようにして、ＤＶＤビデオフォーマットによる動画によるファイルと共に、ＤＶＤビデオフォーマットによっては定義されていない静止画によるファイルを中間管理用情報と共に記録するようになされている。
【００８４】
なおこのようにして拡張ファイルを記録するにつき、図１について上述したと同様に、マイコン４においては、各ファイルの管理用情報をメモリに記録して保存する。
【００８５】
これに対してファイナライズにおいては、ＩＮＣ方式の場合と同様に、ＵＤＦ、ＶＭＧのデータを生成し、パディングにより確保された領域にこれらＵＤＦ、ＶＭＧのデータを記録してＵＤＦ、ＶＭＧを生成し、またリードイン、リードアウトを作成する。これによりＲＯＷ方式による場合にあっても、ＩＮＣ方式による場合と同様に、コンピュータ、拡張ファイルをサポートする光ディスクによっては、動画、拡張ファイルを再生可能に、従来のＤＶＤの光ディスク装置によっては、動画のみ再生可能に、管理用情報を記録するようになされている。
【００８６】
図７は、図１及び図６について上述した記録処理手順を示すフローチャートである。マイコン４は、この記録処理手順を開始すると、ステップＳＰ１１からステップＳＰ１２に移り、ユーザーによる記録の指示が動画の記録に係るものか、静止画の記録に係るものか、ファイナライズの処理に係るものか判断する。
【００８７】
ここでユーザーによる記録の指示が動画の記録に係るものの場合、マイコン４は、ステップＳＰ１２からステップＳＰ１３に移り、ユーザーにより記録の開始が指示されたか否か判断する。ここで否定結果が得られると、マイコン４は、ステップＳＰ１３を繰り返すのに対し、肯定結果が得られると、ステップＳＰ１３からステップＳＰ１４に移り、図１及び図６について説明したように、実データを記録する。さらにステップＳＰ１５に移り、ユーザーにより記録の停止が指示されたか否か判断し、ここで否定結果が得られると、ステップＳＰ１４に戻る。これによりマイコン４は、ステップＳＰ１４−ＳＰ１５−ＳＰ１４の処理手順を繰り返し、順次、実データを記録し、ステップＳＰ１５で肯定結果が得られると、実データの記録を終了してＶＴＳＴＴ  ＶＯＢＳの記録を完了する。
【００８８】
続いてマイコン４は、ステップＳＰ１６に移り、ＶＴＳＩ  ＢＵＰ、ＶＴＳＩ、ＶＴＳＭ  ＶＯＢＳを順次形成し、これにより１つのＶＴＳを記録し、ステップＳＰ１７に移ってこの処理手順を終了する。
【００８９】
これに対してユーザーにより指示が静止画の記録の場合、マイコン４は、ステップＳＰ１２からステップＳＰ１８に移り、ユーザーにより記録の開始が指示されたか否か判断する。ここで否定結果が得られると、マイコン４は、ステップＳＰ１８を繰り返すのに対し、肯定結果が得られると、ステップＳＰ１８からステップＳＰ１９に移り、図１及び図６について説明したように、静止画ファイルによる拡張ファイルを記録する。さらにステップＳＰ２０に移り、ユーザーにより記録の停止が指示されたか否か判断し、ここで否定結果が得られると、ステップＳＰ１９に戻る。これによりマイコン４は、ステップＳＰ１９−ＳＰ２０−ＳＰ１９の処理手順を繰り返し、順次、静止画ファイルを記録し、ステップＳＰ２０で肯定結果が得られると、静止画ファイルの記録を終了してステップＳＰ２１に移る。ここでマイコン４は、中間管理情報を記録し、ステップＳＰ１７に移ってこの処理手順を終了する。
【００９０】
これに対してユーザーにより記録の指示がファイナライズの処理に係るものの記録の場合、マイコン４は、ステップＳＰ１２からステップＳＰ２２に移り、ユーザーにより記録の開始が指示されたか否か判断する。ここで否定結果が得られると、マイコン４は、ステップＳＰ２２を繰り返すのに対し、肯定結果が得られると、ステップＳＰ２２からステップＳＰ２３に移り、図１及び図６について説明したように、ファイナライズの処理を実行した後、ステップＳＰ１７に移ってこの処理手順を終了する。
【００９１】
これに対して図８は、図１について上述した再生処理手順を示すフローチャートである。マイコン４は、この再生処理手順を開始すると、ステップＳＰ３１からステップＳＰ３２に移り、ユーザーによる再生の指示が動画の記録に係るものか、静止画の記録に係るものか判断する。
【００９２】
ここでユーザーによる再生の指示が動画の再生に係るものの場合、マイコン４は、ステップＳＰ３２からステップＳＰ３３に移り、ユーザーにより再生の開始が指示されたか否か判断する。ここで否定結果が得られると、マイコン４は、ステップＳＰ３３を繰り返すのに対し、肯定結果が得られると、ステップＳＰ３３からステップＳＰ３４に移る。ここでマイコン４は、メモリに記録して保持した管理用情報を基準にして、ユーザーにより指示された動画のファイルを再生するように全体の動作を制御する。
【００９３】
すなわち光ディスク２がファイナライズ処理された光ディスクの場合、メモリに保持したＶＭＧのデータにより対応するファイルの記録位置を検出し、この記録位置からの再生を光ディスク装置１の各部に指示する。これに対して光ディスク２がファイナライズ処理されていない光ディスクの場合、メモリに保持した各タイトルのＶＴＳＩ、ＶＴＳＴＴ  ＶＯＢＳにより対応するファイルの記録位置を検出し、この記録位置からの再生を光ディスク装置１の各部に指示する。
【００９４】
このように再生を指示すると、マイコン４は、続いてステップＳＰ３５に移り、ユーザーにより再生の停止が指示されたか否か判断し、ここで否定結果が得られると、ステップＳＰ３４に戻る。これによりマイコン４は、ステップＳＰ３４−ＳＰ３５−ＳＰ３４の処理手順を繰り返し、順次、ユーザーにより指示された動画のファイルを再生する。これに対してステップＳＰ３５で肯定結果が得られると、再生の動作を終了し、ステップＳＰ３６に移り、この処理手順を終了する。
【００９５】
これに対してユーザーによる再生の指示が拡張ファイルの再生に係るものの場合、マイコン４は、ステップＳＰ３２からステップＳＰ３７に移り、ユーザーにより再生の開始が指示されたか否か判断する。ここで否定結果が得られると、マイコン４は、ステップＳＰ３７を繰り返すのに対し、肯定結果が得られると、ステップＳＰ３７からステップＳＰ３８に移る。
【００９６】
ここでマイコン４は、光ディスク２がファイナライズ処理された光ディスクの場合、メモリに保持したＵＤＦのデータにより対応するファイルの記録位置を検出し、この記録位置からの再生を光ディスク装置１の各部に指示する。これに対して光ディスク２がファイナライズ処理されていない光ディスクの場合、メモリに保持した中間管理情報より対応するファイルの記録位置を検出し、この記録位置からの再生を光ディスク装置１の各部に指示する。
【００９７】
このように再生を指示すると、マイコン４は、続いてステップＳＰ３９に移り、ユーザーにより再生の停止が指示されたか否か判断し、ここで否定結果が得られると、ステップＳＰ３８に戻る。これによりマイコン４は、ステップＳＰ３８−ＳＰ３９−ＳＰ３８の処理手順を繰り返し、順次、ユーザーにより指示された静止画のファイルを再生する。これに対してステップＳＰ３９で肯定結果が得られると、再生の動作を終了し、ステップＳＰ３６に移り、この処理手順を終了する。
【００９８】
これらによりこの実施の形態において、マイコン４は、記録に供するファイルの管理用情報を生成する管理用情報生成手段を構成し、またＤＶＤ信号処理部１４、ランダムアクセスメモリ１５、アナログフロントエンド部１６、モーターアンプ部１８、光学ヘッド１９、スピンドルモータ２０は、ファイルと、ファイルに対応する管理用情報とを組にして光ディスク２のプログラムエリアに記録する記録手段を構成するようになされている。またマイコン４は、この管理用情報生成手段、記録手段の動作を制御する制御手段を構成し、さらには圧縮／伸長処理部６、ヘッダー情報処理部７、ＤＶＤ信号処理部１４、ランダムアクセスメモリ１５、アナログフロントエンド部１６、モーターアンプ部１８、光学ヘッド１９、スピンドルモータ２０と共に、このようにファイルとの組により記録された管理用情報に基づいて、光ディスクに記録された各属性のファイルを再生する再生手段を構成するようになされている。
【００９９】
（１−２）第１の実施の形態の動作
以上の構成において、この光ディスク装置１では（図１）、電源が立ち上げられた状態でユーザーにより光ディスクが装填されると、また光ディスクが装填された状態で電源が立ち上げられると、マイコン４によるＤＶＤ信号処理部１４、モーターアンプ部１８を介したスレッドモータ２１の駆動により、光学ヘッド１９が光ディスク２の内周側に移動する。さらに光学ヘッド１９により光ディスク２にレーザービームを照射し、戻り光の光学ヘッド１９による受光結果がアナログフロントエンド部１６、マイコン４で順次処理され、このマイコン４の処理によるＤＶＤ信号処理部１４、モーターアンプ部１８を介した光学ヘッド１９の制御により、トラッキング制御、フォーカス制御の処理が実行される。また受光結果のＤＶＤ信号処理部１４による処理により、光ディスク２に記録されたデータが再生される。光ディスク装置１では、この一連の処理により、光ディスク２の内周側に記録された各種情報がマイコン４で取得され、マイコン４に内蔵のメモリに保持される。
【０１００】
この光ディスク２がスタンパにより作成された再生専用の光ディスクの場合、さらには光ディスク２が動画ファイルのみを記録したファイナライズ処理されてなる光ディスクの場合、この一連の処理により、マイコン４には、光ディスク２の内周側に記録されたＤＶＤプレイヤー用の管理用情報であるＶＭＧのデータが取得される。これにより光ディスク装置１では、ユーザーにより光ディスク２の再生が指示されると、このＶＭＧのデータに従って、ＤＶＤ信号処理部１４、モーターアンプ部１８を介したスピンドルモータ２０の駆動により、ユーザーの所望するタイトルの記録位置まで光学ヘッド１９がシークし、さらには光学ヘッド１９の受光結果によりトラッキング制御、フォーカス制御した状態で、光学ヘッド１９の受光結果がＤＶＤ信号処理部１４、ヘッダー情報処理部７、圧縮／伸長処理部６で順次処理されて動画によるビデオデータが再生される。すなわち受光結果である光ディスク２のピット列に応じて信号レベルが変化する再生信号がアナログフロントエンド部１６で処理されて再生データが生成され、この再生データがＤＶＤ信号処理部１４で復号、デインターリーブ、誤り訂正処理される。またこの誤り訂正処理された再生データがヘッダー情報処理部７に入力され、ここでヘッダーが除去され、このヘッダーの情報がマイコン４に通知される。また続いて圧縮／伸長処理部６に入力され、多重化処理部１０でビデオデータ及びオーディオデータに分離され、ビデオデータについては、ビデオ処理部８によりＭＰＥＧによるデータ圧縮が解かれ、モニタ部１２により表示され、又はビデオ／エンコーダ１３より外部機器に出力される。これに対してオーディオデータは、オーディオ処理部１１でデータ伸長された後、モニタ部１２によりモニタに供され、又はビデオ／エンコーダ１３より外部機器に出力される。
【０１０１】
これに対して光ディスク２が記録可能なバージンディスクの場合、光ディスク２の装填時、電源の立ち上げ時における光ディスク２のアクセスにより、光ディスク２のＲＭＡのデータがマイコン４で取得される。光ディスク装置１では、ユーザーにより動画の撮影モードが選択されると、この光ディスク２がＤＶＤ−Ｒの場合（図１）、マイコン４において、メモリに保持したＲＭＡの更新により、ＵＤＦ、ＶＭＧを形成する領域がＲＺｏｎｅ１の予約により確保される。また光ディスク２がＤＶＤ−ＲＷ等の場合（図２）、同様にＲＭＡのデータが更新され、ＵＤＦ、ＶＭＧを形成する領域、最初のＶＴＳのＶＴＳＩ、ＶＴＳＭ  ＶＯＢＳを生成する領域がパディングにより確保される。
【０１０２】
この状態でユーザーにより録画の開始が指示されると、映像入力部３、オーディオ入力部５から順次ビデオデータ、オーディオデータが入力され、ビデオデータについてはＭＰＥＧによるビデオ処理部８でデータ圧縮の処理が実行され、オーディオデータについてはオーディオ処理部１１でデータ圧縮の処理が実行される。さらにこれらデータ圧縮されたビデオデータ及びオーディオデータが、多重化処理部１０により多重化処理され、その処理結果のデータにヘッダー情報処理部７によりヘッダーが付加される。さらに続くＤＶＤ信号処理部１４において、誤り訂正符号が付加された後、インターリーブ処理、符号化処理され、この処理結果のデータに従って光学ヘッド１９から光ディスク２に照射するレーザービームの光量がアナログフロントエンド部１６により立ち上げられ、これにより光ディスク２に順次ピット列が形成されて動画によるビデオデータが順次記録される。
【０１０３】
光ディスク装置１では、ユーザーにより記録が停止指示されると、圧縮／伸長処理部６等における一連の処理がマイコン４により停止制御されてビデオデータの記録が中止され、続いてこのようにして記録した動画によるファイルの管理用情報が光ディスクに記録される。すなわち光ディスク装置１では、このようにして動画を記録してなる位置情報、ファイルサイズの情報、記録日時等の情報よりマイコン４により管理用情報が生成され、ビデオデータに続いて記録するように、この管理用情報がＤＶＤ信号処理部１４に出力されて光ディスク２に記録され、これによりＶＴＳＩ  ＢＵＰの領域が形成される。光ディスク２がＤＶＤ−ＲＷ等の場合、続いてパディングにより、続くＶＴＳのＶＴＳＩ、ＶＴＳＭ  ＶＯＢＳを生成する領域が確保され、先に確保したＶＴＳＩ、ＶＴＳＭ  ＶＯＢＳを生成する領域に光学ヘッド１９がシークし、この領域において、同様の管理用情報がＤＶＤ信号処理部１４に出力されて光ディスク２に記録され、これによりＶＴＳＩ、ＶＴＳＭ  ＶＯＢＳの領域が形成される。
【０１０４】
光ディスク装置１では、これにより動画によるビデオデータが１タイトル記録される。これらにより光ディスク装置１では、動画によるファイルを記録する場合、ＶＴＳＩによる管理用情報、ＶＴＳＭ  ＶＯＢＳによる管理用情報、ファイル、ＶＴＳＩ  ＢＵＰによる管理用情報が連続するフォーマットであるＤＶＤビデオフォーマットにより管理用情報、ファイルが記録される。
【０１０５】
光ディスク装置１では、続いてユーザーにより動画の記録が指示された場合、同様の処理の繰り返しにより順次光ディスク２にタイトルが記録される。またこのようにしてタイトルを順次記録して、未だファイナライズしていない光ディスクが装填された場合等にあっては、当初、ＲＭＡのデータと共に、このＲＭＡのデータを参考にした光ディスク２のスキャンにより、このようにタイトルと組にして記録された管理用情報が取得されてマイコン４のメモリに保持され、この光ディスクのスキャンにより検出されるタイトルの末尾より続くタイトルが記録される。
【０１０６】
光ディスク装置１では、このようにしてタイトルを記録して、ユーザーによりファイナライズの処理が指示されると、メモリに記録してなるタイトルと組を形成する管理用情報によりＵＤＦ、ＶＭＧのデータが生成され、これらが光ディスク２に確保された内周側領域に記録され、またリードイン、リードアウトが形成される。これによりこの光ディスクにあっては、通常のＤＶＤフォーマットのみに対応するＤＶＤプレイヤーで再生可能に設定される。
【０１０７】
これに対してユーザーにより静止画の記録モードが選択された場合、バージンディスクにおいては、動画の場合と同様にして、メモリに保持したＲＭＡの更新により、さらにはパディングによりＵＤＦ、ＶＭＧの領域が確保される。また光ディスク装置においては、撮像手段の動作モードが静止画のモードに切り換えられ、圧縮／伸長処理部６における動作モードがＪＰＥＧによるデータ圧縮の動作モードに切り換えられる。
【０１０８】
この状態でユーザーにより静止画の録画開始が指示されると、映像入力部３より入力される静止画によるビデオデータが圧縮／伸長処理部６のビデオ処理部８でＪＰＥＧのフォーマットによりデータ圧縮された後、オーディオ処理部１１より出力されるオーディオデータと多重化処理部１０で多重化処理される。これにより光ディスク装置１では、動画によるビデオデータに代えて、静止画によるビデオデータにより記録に供するデータが生成され、このデータが動画による場合と同様にして順次光ディスク２に記録される。
【０１０９】
光ディスク装置１においては、動画の記録においては、始めにＶＴＳＩ、ＶＴＳＭ  ＶＯＢＳの領域を確保して実データを記録するのに対し、この静止画の記録においては、このような領域を確保することなく静止画による実データを記録する。またユーザーにより続く静止画の記録が指示されると、同様にして、続く静止画が光ディスク２に記録される。またこれらの記録の毎に、各ファイルの記録位置等がメモリに記録される。
【０１１０】
光ディスク装置１では、このようにして所望するファイル数だけ静止画によるファイルを光ディスクに記録してユーザーによる動作モードの切り換え等により静止画の記録停止が指示されると、メモリに保持した記録位置等による管理用情報がこれら複数ファイル分、続く領域に、ファイナライズまでの一時的な中間管理情報として記録される。これにより光ディスク装置１では、動画以外のファイルを記録する場合には、ファイル、対応する管理用情報の順となるように、ファイル及び管理用情報が記録され、記録するファイルの属性によりファイル及び管理用情報の記録フォーマットが切り換えられる。
【０１１１】
これにより光ディスク装置１では、ＤＶＤビデオフォーマットで定義されていない静止画等のファイルについても光ディスク２に記録することができる。またこのようにして記録した光ディスク２を通常のＤＶＤビデオフォーマットのみをサポートする光ディスク装置に装填した場合、装填時等のサーチによりＶＴＳＩ等のＤＶＤビデオフォーマットに従って記録した管理用情報が検出され、この管理用情報によりＶＴＳが再生されることにより、このようにして記録した静止画等のファイル、対応する管理用情報については、何ら動画の再生に影響を与えないようにすることができる。これによりこのようにして記録した光ディスクにおいては、通常のＤＶＤプレイヤーにより動画のファイルを再生することが可能となる。
【０１１２】
これに対してこのような動画以外のファイルをもサポートする光ディスク装置によれば、静止画のファイルについても再生することが可能となる。すなわちこのような光ディスク２が装填された場合、光ディスク装置１では、当初の光ディスク２のサーチにより、ＶＴＳ、ＶＴＳＭ  ＶＯＢＳのデータだけでなく、静止画ファイルの中間管理用情報についても光ディスク２より再生され、マイコン４のメモリに保持される。
【０１１３】
これにより例えばユーザーの指示により光ディスク２に記録された動画及び静止画のタイトル等をユーザーに提供することができる。またユーザーによる再生の指示により、ユーザーが動画の再生を指示した場合、ＶＴＳ、ＶＴＳＭ  ＶＯＢＳのデータにより再生専用の光ディスクについて上述したと同様にして対応する動画ファイルが再生される。
【０１１４】
これに対してユーザーにより静止画ファイルの再生が指示された場合、メモリに保持した中間管理用情報より対応するファイルの記録位置等が検出され、この検出結果により順次光ディスク２に記録されたデータが再生されて、動画による再生データと同様の経路により処理される。光ディスク装置１では、この再生データの処理において、静止画による再生データを処理する場合には、ＪＰＥＧによりデータ圧縮したビデオデータをデータ伸長するように、ビデオ処理部８の処理がマイコン４により切り換えられ、これにより静止画によるビデオデータをモニタ部１２により確認し、さらにはビデオ／オーディオエンコーダ１３より外部機器に出力することが可能となる。
【０１１５】
このような静止画等によるファイルにあっては、一般に、動画によるファイルに比してファイルサイズが小さいのに対し、光ディスク装置１では、このような管理用情報である中間管理情報が複数ファイル分まとめて作成されて記録される（図４）。これにより光ディスク装置１では、このような静止画ファイル等による拡張ファイルを記録するにつき、管理用ファイルの記録による記録領域の減少を低減することができる。
【０１１６】
またこのように複数ファイル分まとめて記録する場合に、ファイルの属性であるファイルの種類毎にまとめて記録するようになされ、これによりサーチ処理、後述するファイナライズにおける処理等を簡略化することができるようになされている。
【０１１７】
光ディスク装置１では、これらによりいわゆるバージンディスク、動画のみ記録して未だファイナライズされていない光ディスク、動画及び静止画のファイルを記録して未だファイナライズされていない光ディスクに対して、動画及び静止画のファイルがユーザーの操作により順次記録される。
【０１１８】
これに対してこのようにして動画及び静止画を記録してなる光ディスクについて、ユーザーによりファイナライズが指示されると、光ディスクより取得してメモリに保持した管理用情報、中間管理情報、動画及び静止画の記録により作成してメモリに保持した管理用情報、中間管理情報により、コンピュータ用のＵＤＦのデータが作成され、このデータが光ディスク２に事前に確保された領域に記録される。また動画ファイルの管理用情報だけからＤＶＤプレイヤー用のＶＭＧデータが生成され、同様にして光ディスク２に記録される。
【０１１９】
これにより光ディスク装置１では、光ディスク２の管理用情報記録領域のうちの、第１の管理用情報記録領域であるＵＤＦ領域に、光ディスク２に記録された全てのファイルについて、組による管理用情報がまとめて記録されるのに対し、第２の管理用情報記録領域であるＤＶＤ用のＶＭＧ領域に、光ディスクに記録された特定の属性のファイルである動画ファイルについてのみ、組による管理用情報がまとめて記録される。
【０１２０】
これによりこのようにファイナライズされた光ディスクをＤＶＤプレイヤーより再生する場合、ＤＶＤ用であるＶＭＧ領域を基準にして光ディスク２に記録されたファイルが再生されることにより、静止画等のファイルの記録については、動画の再生に何ら影響を与えることなく、確実にＤＶＤビデオフォーマットによる動画を再生することができる。
【０１２１】
またこのようにファイナライズされた光ディスクをコンピュータにより再生する場合には、ＵＤＦがコンピュータのファイル管理システムに対応するファイル管理フォーマットであり、コンピュータにおいては、ＵＤＦにより各ファイルを再生することにより（図５）、動画のファイルはもとより、静止画等のファイルについても再生して利用することが可能となる。
【０１２２】
（１−３）第１の実施の形態の効果
以上の構成によれば、ファイルと組にして記録する管理用情報のフォーマットをファイルの属性により切り換えることにより、例えば動画以外の静止画等のファイルについても記録することができる。
【０１２３】
すなわち動画のファイルについては、管理用情報、ファイル、管理用情報のバックアップ用情報が順次連続するように、さらにはＤＶＤビデオフォーマットにより、ファイル及び管理用情報を記録し、動画以外のファイルについては、ファイル、管理用情報の順となるように記録することにより、ＤＶＤビデオフォーマットにより定義されていないファイルを記録して、動画ファイルの再生には何ら影響を与えないようにすることができる。
【０１２４】
またこのようにして記録した動画以外の管理用情報に基づいて、光ディスクに記録された各属性のファイルを再生することにより、動画以外のファイルについても再生して利用することができる。
【０１２５】
またユーザーによる指示により、第１の管理用情報記録領域に、光ディスクに記録された全てのファイルについて、組による管理用情報をまとめて記録し、第２の管理用情報記録領域に、特定の属性のファイルについてのみ、組による管理用情報をまとめて記録することにより、通常のＤＶＤプレイヤーによっては動画を再生できるようにし、コンピュータによっては動画、静止画等の全てのファイルを再生可能とすることができる。
【０１２６】
（２）第２の実施の形態
（２−１）第２の実施の形態の構成
この実施の形態においては、第１の実施の形態により上述した光ディスク２に記録された静止画等についても、通常のＤＶＤプレイヤー、ＤＶＤレコーダにより内容を確認できるようにする。なおこの第２の実施の形態に係る内容を確認できる処理においては、未だファイナライズ処理されていない光ディスクを対象とした処理である。
【０１２７】
図９は、図１、図６等の対比によりこの処理の説明に供する図表である。この実施の形態においては、ユーザーの指示により、拡張フォーマットにより記録した各種のファイルより、ＭＰＥＧフォーマットによるビデオデータに変換可能なファイルについては、ＭＰＥＧフォーマットによるビデオデータにフォーマット変換して光ディスクに改めて記録する。これによりファイナライズ処理しない状態でも、他のＤＶＤレコーダにおいて、このフォーマット変換してなるビデオデータを再生できるようにする。
【０１２８】
またフォーマット変換後のファイルについても中間管理情報ＤＫ１として管理用情報を光ディスクに記録して保持し、ファイナライズ処理により、このフォーマット変換してなるビデオデータを再生できるようにＶＭＧを記録する。またコンピュータにおいては、フォーマット変換前のファイル、フォーマット変換後のファイルの双方を、他のファイルと同様のアクセスできるように、管理用情報を生成してＵＤＦに記録する。
【０１２９】
またこれらの処理において、静止画ファイルについては、１つのファイルによる１枚の画像が、ＭＰＥＧフォーマットにおけるＩピクチャーの画像となるようにフォーマット変換する。さらにこのとき１つの中間管理情報によりまとめて管理される複数の静止画ファイルについては、フォーマット変換した各Ｉピクチャーが、ＤＶＤビデオフォーマットにおける連続する画像となるように変換後のファイルを形成し、これによりＤＶＤビデオフォーマットにおけるチャプターの機能によりこれら複数の静止画像を順次再生できるようにする。
【０１３０】
またこのとき最大で９９枚までのチャプターとなるように、ファイルを形成し、９９枚を越える場合には、複数のファイルに分割してファイルを形成し、これによりＤＶＤビデオフォーマットによる制限を逸脱しないようにする。
【０１３１】
すなわち図９に示すように、このように未だファイナライズ処理されていない光ディスクにおいては、内周側より、Ｒｚｏｎｅ１の予約により、又はパディングにより、ＵＤＦ、ＶＭＧの領域が確保され、ＶＴＳ、拡張ファイルＥＦ、この拡張ファイルＥＦの中間管理情報ＤＫが記録される。この状態でユーザーによりこの内容を確認できるようにする処理が指示されると、中間管理情報ＤＫより拡張ファイルが検出される。
【０１３２】
ここでこのようなファイルとしては、ＪＰＥＧによる静止画ファイル、ＭＰＥＧ７による動画ファイル、ＡＶＩファイルによる動画ファイル等がある。これらのファイルのうち、動画ファイルについては、データ伸長した後、ＭＰＥＧ２のフォーマットによりデータ圧縮し直してフォーマット変換し、ＶＴＳにより光ディスク２に記録する。図９においては、ＶＴＳ＃２がこのフォーマット変換して記録したＶＴＳである。
【０１３３】
これに対して静止画ファイルは、データ伸長した後、ＭＰＥＧ２のフォーマットに対応する画素数となるようにビデオデータを間引きする。さらにＩピクチャーに設定してＭＰＥＧ２のフォーマットによりデータ圧縮する。静止画ファイルは、１つの中間管理情報ＤＫによる纏められた複数ファイルについて、各静止画ファイルよりこのようにして作成したＩピクチャーが連続するように、ＶＴＳ＃２を作成して光ディスクにフォーマット変換されたデータが記録される。また各Ｉピクチャーが、ＤＶＤビデオフォーマットの１チャプターとなるように、ＶＴＳ＃２が作成される。
【０１３４】
このようにして記録されたフォーマット変換後のファイルについては、動画以外のファイルである拡張ファイルとして、他のファイルと同様に、中間管理情報ＤＫ１が続いて記録される。ここでこの中間管理情報ＤＫ１においては、図４と同様に構成される。
【０１３５】
また続いてビデオデータを記録する場合には、第１の実施の形態と同様に動画、静止画を記録し、ＶＴＳ＃２、ＥＦ２を記録し、ユーザーにより静止画の内容を確認できるようにする処理が指示されると、同様にしてフォーマット変換してＶＴＳを形成する。ＶＴＳ＃４及びＶＴＳ＃５は、この処理において、フォーマット変換後におけるピクチャー数が９９を越えることにより、２つのファイルに分割してＶＴＳを記録した例である。
【０１３６】
図１０は、図２との対比によりこの実施の形態に係る光ディスク装置を示すブロック図である。この光ディスク装置３１においては、圧縮／伸長処理部２６が演算処理回路により構成され、マイコン２４の制御により、光ディスク２より再生される種々のフォーマットによるビデオデータをデータ伸長した後、ＭＰＥＧ２のフォーマットにより上述したようにフォーマット変換できるようになされている。またインターフェース（Ｉ／Ｆ）２８によりコンピュータに接続して、ＪＰＥＧによる静止画以外についても、種々のフォーマットによるビデオデータ、オーディオデータ等を取得して拡張ファイルとして光ディスク２に記録できるようになされている。
【０１３７】
これによりこの光ディスク装置３１においては、第１の実施の形態について上述した光ディスク装置１における処理に加えて、拡張ファイルとして種々のファイルを光ディスク２に記録し、またこのようにして記録した拡張ファイルのうち、静止画、動画のファイルについては、再生してフォーマット変換した後、光ディスク２に記録することができるようになされている。なお、この機能を相違に係る点を除いて、光ディスク装置１と同一に構成されることにより、図１０、図１１においては、対応する箇所に同一の符号を付して示し、重複した説明は省略する。
【０１３８】
図１１は、図７との対比によりこの光ディスク装置３１におけるマイコン２４における記録処理手順を示すフローチャートである。このマイコン２４においては、図７について上述した処理手順に代えて、この処理手順を実行する。
【０１３９】
すなわちマイコン２４においては、この処理手順を開始すると、ステップＳＰ４１からステップＳＰ４２に移り、ユーザーによりファイナライズの処理が指示されたか否か判断し、ここで否定結果が得られると、ステップＳＰ４３に移る。ここでマイコン２４は、ユーザーによる記録の指示が、拡張ファイルの記録か、動画ファイルの記録か、静止画の内容を確認できるようにする処理（ＤＶＤ形式作成記録）か判断する。
【０１４０】
ここでユーザーによる記録の指示が拡張ファイルの記録の場合、第１の実施の形態と同様にステップＳＰ１８−ＳＰ１９−ＳＰ２０−ＳＰ２１の処理手順を実行し、撮像手段より得られる静止画ファイル、外部機器より入力される静止画ファイル、インターフェース２８を介してコンピュータより入力される各種ファイルを光ディスク２に記録する。なおコンピュータより入力されるデータを記録する場合には、圧縮／伸長処理部２６における処理は中止され、入力されたデータが直接ヘッダー情報処理部７に入力されることになる。
【０１４１】
これに対してユーザーによる記録の指示が動画ファイルの記録の場合、第１の実施の形態と同様にステップＳＰ１３−ＳＰ１４−ＳＰ１５−ＳＰ１６の処理手順を実行し、撮像手段等より得られる動画ファイルを光ディスク２に記録する。
【０１４２】
これに対してユーザーによる記録の指示が静止画の内容を確認できるようにする処理の場合、ステップＳＰ４３からステップＳＰ４４に移る。ここでマイコン２４は、ユーザーにより処理の開始が指示されたか否か判断し、否定結果が得られると、ステップＳＰ４４を繰り返す。これに対して肯定結果が得られると、ステップＳＰ４４からステップＳＰ４５に移り、ここでプログラムエリアをサーチしてフォーマット変換可能なファイルを検出し、このようなファイルが検出されると、上述したようにフォーマット変換して光ディスク２に記録する。
【０１４３】
続くステップＳＰ４６において、マイコン２４は、このフォーマット変換して光ディスク２に記録する処理を終了したか否か判断し、ここで否定結果が得られると、ステップＳＰ４５に戻り、処理を継続する。これに対して処理を終了すると、ステップＳＰ４７に移り、このようにして記録したファイルについて、ＶＴＳＩ  ＢＵＰ、中間管理情報ＤＫ１を記録し、ＲＯＷ方式の場合にはパディングの処理により続く領域を確保する。また先頭側に戻って、ＶＴＳＩ、ＶＴＳＭ  ＶＯＢＳを記録し、これによりＶＴＳを形成し、ステップＳＰ４８から元の処理に戻る。
【０１４４】
これに対してユーザーによりファイナライズが指示された場合、マイコン２４は、ステップＳＰ４２からステップＳＰ４９に移り、ここでユーザーによる指示を待機し、ユーザーによる指示が得られると、ステップＳＰ５０において、ファイナライズの処理を実行した後、ステップＳＰ４８から元の処理に戻る。
【０１４５】
図１２は、図５との対比によりこの静止画を確認可能とする処理を示す図表である。この処理によりコンピュータによりこの光ディスクのディレクトリ構造を観察すると、ＤＳＣ０００１により示される静止画ファイルが矢印により示すようにＭＰＥＧのフォーマットにフォーマット変換されて光ディスク２に記録され、タイトルｎが増加していることになる。
【０１４６】
（２−２）第２の実施の形態の効果
この実施の形態によれば、光ディスクに記録されたファイルをフォーマット変換して記録することにより、例えば光ディスクに記録した動画以外の静止画等のファイルを記録して、標準の光ディスク装置でも静止画等の内容を確認することができる。
【０１４７】
またこのフォーマット変換による変換後のファイルが、ＭＰＥＧによるファイルであることにより、さらには静止画のファイルを、ＭＰＥＧによるＩピクチャーに変換することにより、通常のＤＶＤレコーダでもこのフォーマット変換後のファイルを再生して、静止画ファイルの内容を確認することができる。
【０１４８】
またフォーマット変換後のフォーマットによるピクチャー数により、プログラムエリアに記録するファイルを分割して記録することにより、すなわちチャプター数を９９に制限することにより、通常のＤＶＤレコーダでもこのフォーマット変換後のファイルを再生することができ、これにより多量の静止画ファイルをまとめて記録した場合でも、これら静止画ファイルの内容を確認することができる。
【０１４９】
またユーザーによる指示により、第１の管理用情報記録領域であるＵＤＦ領域に、光ディスクに記録された全てのファイルについて、組による管理用情報をまとめて記録し、第２の管理用情報記録領域であるＶＭＧ領域には、フォーマット変換後のフォーマットによるファイルについてのみ、すなわち当初よりＭＰＥＧ２のフォーマットにより記録されたファイル、フォーマット変換により記録されたファイルのみ、管理用情報をまとめて記録することにより、通常の再生専用のＤＶＤプレイヤーにおいても、静止画ファイルの内容を確認することができる。またコンピュータにおいては、フォーマット変換前後のファイルの何れも再生することができ、これにより例えばフォーマット変換後のファイルをインデックスとして利用して、フォーマット変換前の静止画ファイルを用いて編集等の処理を実行することができ、その分、使い勝手を向上することができる。
【０１５０】
（３）第３の実施の形態
図１３は、図４との対比による中間管理情報の記録方法の説明に供する図表である。この実施の形態に係る光ディスク装置においては、拡張ファイルと組により記録する中間管理情報においては、矢印により示すように、それまで光ディスクに記録されている全ての拡張ファイルについて、まとめて管理用情報を割り当てるようにする。
【０１５１】
この図１３の構成によれば、記録済領域の最後に記録された中間管理情報を再生するだけで、光ディスクに記録された全ての中間ファイルについて、位置情報等の管理情報を取得できることにより、その分、中間管理情報のサーチ処理を簡略化することができる。
【０１５２】
（４）他の実施の形態
なお上述の実施の形態においては、光ディスク装置に事前にインストールされた処理プログラムにより一連の処理を実行する場合について述べたが、本発明はこれに限らず、インターネット等のネットワークを介してダウンロードしたプログラムのインストールによりこの種の処理手順を実行する場合、さらには各種の記録媒体により提供されるプログラムのインストールによりこの種の処理手順を実行する場合等にも広く適用することができる。なおこのような記録媒体としては、磁気ディスク、光ディスク、磁気テープ等の記録媒体を適用することができる。
【０１５３】
また上述の実施の形態においては、撮像機能を有する光ディスク装置に本発明を適用する場合について述べたが、本発明はこれに限らず、コンピュータのアプリケーションプログラムによりこの種の処理を実行する場合等にも広く適用することができる。
【０１５４】
【発明の効果】
上述のように本発明によれば、ファイルと組にして記録する管理用情報のフォーマットをファイルの属性により切り換えることにより、例えば動画以外の静止画等のファイルについても記録することができる。このようにして光ディスクに記録されたファイルをフォーマット変換して記録することにより、例えば光ディスクに記録した動画以外の静止画等のファイルを記録して、標準の光ディスク装置でも静止画等の内容を確認することができる。
【図面の簡単な説明】
【図１】本発明の第１の実施の形態に係る光ディスク装置における記録の説明に供する図表である。
【図２】本発明の第１の実施の形態に係る光ディスク装置を示すブロック図である。
【図３】図２の光ディスク装置におけるマイコンの処理手順を示すフローチャートである。
【図４】中間管理情報の説明に供する図表である。
【図５】光ディスクにおけるディレクトリ構造の説明に供する図表である。
【図６】図２の光ディスク装置におけるＲＯＷ方式による記録の説明に供する図表である。
【図７】図３の処理手順における記録処理手順を示すフローチャートである。
【図８】図３の処理手順における再生処理手順を示すフローチャートである。
【図９】本発明の第２の実施の形態に係る光ディスク装置における記録の説明に供する図表である。
【図１０】本発明の第２の実施の形態に係る光ディスク装置を示すブロック図である。
【図１１】図１０の光ディスク装置におけるマイコンの処理手順を示すフローチャートである。
【図１２】図１０の処理による光ディスクにおけるディレクトリ構造の説明に供する図表である。
【図１３】本発明の第３の実施の形態に係る光ディスク装置における記録の説明に供する図表である。
【図１４】ＤＶＤビデオフォーマットの説明に供する図表である。
【図１５】ＩＮＣ方式による記録の説明に供する図表である。
【図１６】ＲＯＷ方式による記録の説明に供する図表である。
【符号の説明】
１、３１……光ディスク装置、２……光ディスク、４、２４……マイコン、６、２６……圧縮／伸長処理部
【図１】
0003861261.tif 000002
【図２】
0003861261.tif 000003
【図３】
0003861261.tif 000004
【図４】
0003861261.tif 000005
【図５】
0003861261.tif 000006
【図６】
0003861261.tif 000007
【図７】
0003861261.tif 000008
【図８】
0003861261.tif 000009
【図９】
0003861261.tif 000010
【図１０】
0003861261.tif 000011
【図１１】
0003861261.tif 000012
【図１２】
0003861261.tif 000013
【図１３】
0003861261.tif 000014
【図１４】
0003861261.tif 000015
【図１５】
0003861261.tif 000016
【図１６】
0003861261.tif 000017